(57)【特許請求の範囲】
【請求項１】
個人のショックの危険を殆ど又は全く提示せず、電池寿命及び有用な動作寿命を最大化するために電池消耗を最小化する、個人の空間にイオンによりエネルギーを与えてそこから微粒子汚染物質を除去する、電池により給電される携帯個人用イオン空気清浄機であって、
所定の周波数及びデューティサイクルのパルス列を供給するための手段を含むイオン化作動手段と、
制御されるバースト長のバーストにおいて制御される間隔にてもたらされるイオンの放出の前記制御されるバースト長が、前記パルス列のデューティサイクルにより制御され、制御されるバースト長のバーストにおいて制御される間隔にてもたらされる前記イオンの放出の前記間隔が前記パルス列の前記周波数により制御されるように、バースト間のそれらの間の間隔において実質的にイオンの放出を有しない制御される間隔にて制御されるバースト長のバーストにおけるイオンの放出をもたらすために、イオン放出器を制御可能に活性化するための、所定のデューティサイクル及び周波数の前記パルス列に応答する前記イオン化作動手段に結合されるイオン放出器を含む、イオン化手段と、
個人が場所から場所へ移動し又はある場所に留まると持ち運ばれ得る小型の携帯ハウジングと、
首の周りに前記ハウジングを着用するための電気的に接地される導電性ストラップであって、前記個人と前記イオン放出器の間の電気的接続を生成することが可能である導電性素子を含む導電性ストラップと、
汚れたときに、異なる長さの異なるストラップに交換するために、別の快適さレベルの異なるストラップに交換するために、又は一つのストラップを別のものに変更する他の理由のために、ハウジングから一つのストラップを取り除いてこれを異なるストラップに交換するためのストラップ解放可能取付具及び電気接続手段と、
一時的に増加させられる微粒子汚染物質の除去及び／又は一時的に強化されるイオン活性化レベルをもたらすことが所望されるときの例外的により多く汚染された状況又は他の状況と、一時的に減少させられる微粒子汚染物質の除去及び／又は一時的に削減されるイオン活性化レベルをもたらすことが所望されるときの例外的により少なく汚染された状況又は他の状況のうちの一つに適応するための、イオン生成を一時的に変化させるための強化手段
を備えており、
前記パルス列の前記所定のデューティサイクルは、ショックの危険を最小化又は防止して電池消耗を最小化するために、比較的短いオン時間と比較的長いオフ時間を有するように決定され、
前記パルス列の前記所定のパルス周波数は、時間と共に消散する個人の空間内の微粒子を除去するイオン群を維持するほど、別のイオンのバーストにより空間をリフレッシュするように決定され、
前記強化手段は、前記例外的により多く汚染された状況と前記例外的により少なく汚染された状況のうちの一つに適応するために、需要に応じてイオン生成を変化させるために前記ストラップを接地から切り離すための手段を含む、
個人用イオン空気清浄機。
【請求項２】
前記パルス列の前記所定のデューティサイクルは５０ｍｓより小さいオンパルスを有するように決定され、前記パルス列の前記所定の周波数は少なくとも０．４Ｈｚの周波数を有するように決定される、請求項１に記載の個人用イオン空間清浄機。
【請求項３】
個人が場所から場所へ移動し又はある場所に留まると持ち運ばれ得る小型の携帯ハウジングと、
前記携帯ハウジングに前記イオン放出器を取り外し可能に装着するための手段
をさらに含む、請求項１に記載の個人用イオン空間清浄機。
【請求項４】
個人が場所から場所へ移動し又はある場所に留まると持ち運ばれ得る小型の携帯ハウジングと、
前記携帯ハウジングの遠隔におけるイオン放出器の配置を可能にするために前記イオン放出器と前記ハウジングに接続される伸長された導電性コードを含む、前記携帯ハウジングに前記イオン放出器を装着するための手段
をさらに含む、請求項１に記載の個人用イオン空間清浄機。
【請求項５】
顔マスクと、
個人が場所から場所へ移動し又はある場所に留まると持ち運ばれ得る小型の携帯ハウジングと、
前記イオン放出器に接続される伸長された導電性ケーブルと、
前記イオン放出器を前記顔マスクに取り外し可能に装着するための手段と、
前記伸長された導電性ケーブルを前記ハウジングに取り外し可能に装着するための手段
をさらに含む、請求項１に記載の個人用イオン空間清浄機。
【請求項６】
前記イオン化作動手段の前記パルス列供給手段が所定の周波数及びデューティサイクルの前記パルス列を供給するデジタルタイマを含む、請求項１に記載の個人用イオン空間清浄機。
【請求項７】
使用中でないときに取り扱い及び格納中に前記イオン放出器に対する損傷を防ぐためのイオン放出器保護手段をさらに含む、請求項１に記載の個人用イオン空間清浄機。
【請求項８】
前記イオン放出器保護手段が、使用のために前記イオン放出器を取り扱い格納し保護解除し露出するために前記イオン放出器をそれぞれ保護的に囲む、閉じた位置と開いた位置の間において移動可能なカバーを含む、請求項７に記載の個人用イオン空間清浄機。
【請求項９】
前記イオン放出器保護手段が、使用のために前記イオン放出器を安全に取り扱い格納し保護解除し露出するために前記イオン放出器をそれぞれ保護的に後退させる、閉じた位置と開いた位置の間において移動可能である後退可能なスライド部を含む、請求項７に記載の個人用イオン空間清浄機。
【請求項１０】
小型の携帯ハウジングの視覚的態様を所望される雰囲気及び外観に一致させるための視覚的態様及び変更可能提示手段を有する、個人が場所から場所へ移動し又はある場所に留まると持ち運ばれ得る小型の携帯ハウジングをさらに含む、請求項１に記載の個人用イオン空間清浄機。
【請求項１１】
前記変更可能な提示手段が、それぞれいくつかの特定の使用状況の別の所望される雰囲気及び外観に適合するように選択的に異なる視覚的態様の外観を見るために提示する相互交換可能要素を含む、請求項１０に記載の個人用イオン空間清浄機。
【請求項１２】
前記イオン化手段が、接地電位を規定して前記イオン放出器に結合される容量性電圧乗算器回路網を含む、直流電流から交流電流への変換器に接続される交流電流から直流電流への変換器と変圧器を含む直流電流／交流電流変換機を含む、請求項１に記載の個人用イオン空間清浄機。
【請求項１３】
ストラップ解放可能取付具及び電気接続手段は、電気的に接地されるハウジングのメスプラグ端子と結合するストラップのオスプラグ終端を含む、請求項１２に記載の個人用イオン空間清浄機。
【請求項１４】
前記強化手段が、前記例外的により多く汚染された状況と前記例外的により少なく汚染された状況のうちの一つに適応するために、需要に応じてイオン生成を変化させるために前記パルス列の前記デューティサイクルを変更するための手段を含む、請求項１に記載の個人用イオン空間清浄機。
【請求項１５】
前記強化手段が、前記例外的により多く汚染された状況と前記例外的により少なく汚染された状況のうちの一つに適応するために、需要に応じてイオン生成を変化させるために前記パルス列の前記周波数を変更するための手段を含む、請求項１に記載の個人用イオン空間清浄機。
【請求項１６】
特定の閾値直流イオン化電位においてイオン放出器をイオン化することによって制御される間隔にて制御されるバースト長の前記イオンバーストが生成され、
一時的に増加させられる微粒子汚染物質の除去及び／又は一時的に強化されるイオン活性化レベルをもたらすことが所望されるときの例外的により多く汚染された状況又は他の状況と、一時的に減少させられる微粒子汚染物質の除去及び／又は一時的に削減されるイオン活性化レベルをもたらすことが所望されるときの例外的により少なく汚染された状況又は他の状況のうちの一つに適応するためにイオン生成を一時的に変化させるための前記強化手段は、前記例外的により多く汚染された状況と前記例外的により少なく汚染された状況のうちの一つに適応するために需要に応じて前記特定の閾値直流イオン化電位を変化させるための手段を含む、請求項１に記載の個人用イオン空間清浄機。
【発明の詳細な説明】
【技術分野】
【０００１】
（関連する発明への相互参照）
本出願は、それぞれ参照により本明細書に組み込まれる、２００７年５月８日に特許証が発行された「開放した放出器と安全性特徴を有するイオン生成機（Ion Generator with Open Emitter and Safety Feature）」と題されるジョアンノー（Joannou）の米国特許第７，２１５，５２６号と、２００５年７月１９日に特許証が発行された「携帯イオン生成機及び塵収集機（Portable Ion Generator and Dust Collector）」と題されるジョアンノーの米国特許第６，９１９，０５３号に関連する。
【０００２】
（発明の分野）
本発明はイオン生成機に関し、より詳細には電池により駆動される個人的な使用及び空気清浄化のための携帯イオン生成機に関する。
【背景技術】
【０００３】
携帯イオン空気清浄機は、個人のショックの危険を殆ど又は全く提示せずに、かつとりわけ長い電池寿命を示して低いコストにて製造可能であるように、タクシー若しくは航空機客室、又は他のウイルス、花粉、煙、カビ（mold）、イエダニ及び他の微粒子汚染物質の環境（environ）の空間（that）のような、汚染された個人の空間にエネルギーを与えてこれを清浄化するためにイオンを制御可能に供給するために所望される。しかし、ジョアンノーへの前述の特許である米国特許第７，２１５，５２６号「開放した放出器と安全性特徴を有するイオン生成機」と、米国特許第６，９１９，０５３号「携帯イオン生成機及び塵収集機」のような、従来の既知の携帯イオン空気清浄機は、これら又は他の態様のうちの一つ以上において不利益を有する。
【発明の概要】
【課題を解決するための手段】
【０００４】
本発明の再充電可能な携帯個人用イオン空気清浄機は、使用者又は当該環境内の他人に対して個人的なショックの危険を殆ど又は全く提示せずに、タクシー若しくは航空機客室、又は他のウイルス、花粉、煙、カビ、イエダニ及び他の微粒子汚染物質の環境の空間（that）のような、個人の空間にエネルギーを与えて個人の空間を清浄化するためにイオンを制御可能に供給し、再充電間の長い時間動作し、かつ他の有用な態様の中でも低いコストにて製造可能である。
【０００５】
本発明の目的は、電力消費の最大制御を可能にする電池により駆動される携帯イオン放出装置において、パルスタイミング及びパルス強度を制御するための手段を提供するための再充電可能な携帯個人用イオン空気清浄機のためのパルス及び電力管理手段を提供することである。
【０００６】
本発明の別の目的は、パルスデューティサイクル管理技術によって、使用者に対するショックの緩和を提供することである。
【０００７】
本発明の別の目的は、パルスタイミングの正確な管理を提供し、これによりパルスの「オン」時間を正確に制御することにより使用者に最大の快適さを提供し、これにより使用者に対する二次的な静的ショックを直接的に削減することである。
【０００８】
本発明の別の目的は、空気清浄機についての性能を最大化し、特に最大のイオン出力を提供することである。
【０００９】
本発明の別の目的は、空気清浄機の最小の全体電力消費を提供し、これにより使用時間及び電池寿命を伸ばすことである。
【００１０】
本発明のさらなる目的は、交換可能なイオン放出器を有する再充電可能な携帯個人用イオン空気清浄機を提供することであり、伸長された導電性コード上の交換可能なイオン放出器と導電性の伸長されたコード上のイオン放出器は、顔フィルタマスクのような補助装置と共にする使用のために適応している。
【００１１】
本発明の追加の目的は、個人用空気清浄機が有効な使用中でないときに取り扱い及び格納からその損傷を防ぐためのイオン放出器保護手段を提供することと、空気清浄機が任意の所望される雰囲気及び外観に順応するために作り出す視覚的態様を調整するために提示態様変更手段を提供することと、ストラップが汚れたとき、異なる長さに変更するため、別の快適さ若しくは完成レベルに変更するため、又は他の理由により一つのストラップを別のものに交換するために、一つのストラップを別のストラップに交換するためのストラップ解放可能取付具と電気接続手段を提供することと、一時的に増加及び／若しくは減少した微粒子汚染物質の除去並びに／又は一時的に強化及び／若しくは削減されたイオン活性化（energization）レベルを提供することが所望されるときに、例外的な状況においてイオン生成を一時的に増加及び／又は減少させるためのイオン強化（boost）手段を提供することである。
【００１２】
これら及び他の目的並びに有利な特徴及び発明の態様によれば、本発明の電池寿命及び有用な動作寿命を最大化するために電池消耗を最小化する、個人のショックの危険を殆ど又は全く提示しないイオンにより個人の空間にエネルギーを与えてそこから微粒子汚染物質を除去する、電池により給電される携帯個人用イオン空気清浄機は、所定の周波数及びデューティサイクルのパルス列を供給するためのイオン化作動手段と、後記バースト長が前記パルス列の前記デューティサイクルにより制御され後記間隔が前記パルス列の前記周波数により制御されるように、所定のデューティサイクル及び周波数の前記パルス列に応答して制御される間隔にて制御されるバースト長のイオンバーストを提供するためにイオン放出器に制御可能にエネルギーを与えるためのイオン放出器を含むイオン化手段を含む。ここで、前記パルス列の前記所定のデューティサイクルは、ショックの危険を防がない場合にこれを最小化して電池消耗を最小化するために、比較的短いオン時間及び比較的長いオフ時間を有するように決定される。ここで、前記パルス列の前記所定のパルス周波数は、そうでなければ時間と共に消散する個人の空間における活性化微粒子除去イオン群を維持するほど、空間を別のイオンのバーストによりリフレッシュするように決定される。
【００１３】
開示される異なる実施形態において、パルス列供給手段はデジタルタイマ回路、非安定アナログ発振器又は専用コントローラを含み得る。カーボンブラシ放出器のような前記イオン化手段のイオン放出器は、イオンにより直接、又はこれに取り付けられ得る伸長された柔軟な導電体を介して清浄化され又は活性化されるように、個人の空間において小型の携帯ハウジング、顔マスク又は他の物体に固定的又は取り外し可能に装着され得る。
【００１４】
異なる実施形態においては、接地手段は、イオン化手段のイオン放出器から離れてイオンを引き付けて引き寄せるのに十分な電位差を作り出す他の方法の中でも、調整可能で取り外せる（break-away）導電性ストラップ又は導電性接地板を含むことが開示される。
【００１５】
イオン放出器保護手段は、異なる実施形態においてはイオン放出器を覆うための機構と使用中でないときに保護的に後退するための機構を含む、有効な使用中でないときに空気清浄機の取り扱いおよび格納からの損傷を防ぐためのものであることが開示される。
【００１６】
提示態様変更手段は、一つの現在の好適な実施形態において、それぞれ別の所望の雰囲気及び外観に適するように設計される他の態様の中から選択的に異なる色彩、パターン、質感及び材料の外観を見るように提示する、相互交換可能な要素を含む所望の雰囲気及び外観に適するように、空気清浄機の提示する視覚的態様を調整することが開示される。
【００１７】
ストラップ解放可能取付及び電気接続手段は、汚れたとき、異なる長さ若しくは別の快適さレベルのものにするとき、又は一つのストラップを別のものに変更する他の理由があるときに一つのストラップを別のストラップに交換するためのものであることが開示される。一つの現在好適な実施形態において、別のストラップはオスプラグ終端が設けられるストラップと、接地されるメスプラグ端子が設けられるハウジングを含む。
【００１８】
イオン強化手段は、一時的に増加及び／若しくは削減される微粒子汚染物質の除去、並びに／又は一時的に強化及び／若しくは減少されるイオン活性化レベルを提供することが所望されるときに、例外的な状況においてイオン生成を一時的に増加及び／又は減少させるためのものであることが開示される。
【００１９】
本発明のこれら及び他の目的並びに有利な特徴及び発明の態様は、現在好適なその実施形態の以下の詳細な説明及び図面への参照によって、本発明がより良好に理解されるようになると明白になるであろう。
【発明を実施するための形態】
【００２０】
（現在好適な実施形態の詳細な説明）
本発明はその出願において、以下の説明において述べられ又は図面において図示される構成要素の配置又は構造の詳細に制限されないことが理解されるべきである。本発明は他の実施形態であることが可能であり、かつ種々の方法により実施又は実行されることが可能である。また、本明細書において使用される用語及び専門用語は説明の目的のためのものであって制限として考えられるべきでないことも理解されるべきである。
【００２１】
今図面を説明的に参照すると、その図１Ａ、図１Ｂは、本発明の再充電可能な携帯個人用イオン空気清浄機１０を全体を通じて１０にて図示する。使用者は、導電性コード又はストラップ１２を使用して清浄機１０を自己の首の周りに吊るし、スイッチ１４を使用してその電源を「オン」にする。これによりイオンの群（不図示）は、イオンにより個人の空間にエネルギーを与えてそこから微粒子を除去するために、顔の領域（不図示）に向けられるカーボンブラシ１６又は他のイオン放出器から離れて生成される。これらのイオンは空気中の反対に帯電した微粒子を引き寄せ、その後最も近い接地源に向かって共に引き寄せられる。導電性コード１２は接地源が使用者の身体であって呼吸可能な空気の流れでないことを確実にし、これにより呼吸可能な空気の流れから空気中の汚染物質を効果的に除去し、かつ／又はマイナスイオンを生成する。ＵＳＢケーブル１６（図１Ｂ）は、その内部の電池を再充電するために使用され得る。ＬＥＤ１８は、清浄機１０の充電及び／又は使用状態の信号表示をもたらす。
【００２２】
ストラップを使用して清浄機が首の周りに着用されるときに、清浄機は典型的には頭の周りの三歩分の球体について、ウイルス、花粉、煙、カビ、イエダニ及び他の微粒子汚染物質を空気から除去する。清浄機は、例えば枕の領域の周りの空気が汚染物質から浄化されるように寝室用ランプ上にも配置され、あるいはテーブル、椅子又はマイナスイオンによる活性化若しくは浄化が所望され若しくは必要であり得る他の任意の場所上に近接して位置し得る。
【００２３】
米国特許第６，９１９，０５３号から、高電圧のイオン源に近接する接地面はイオンの生成を増加させることが知られている。理想的には、高電圧源の接地端子と問題の面の間に電気接続が形成される。個人用空気清浄機の場合においては、この接続はユーザの肌に接触している導電性繊維ストラップを通じて達成される。前記繊維は、理想的には編み込まれる導電性素子を有する通常の繊維から構成される。導電性素子は、説明される高電圧電力回路出力の一つの側と使用者の間の電気的接続を生成する。前記繊維の導電性は多数の方法を使用して達成され得て、それらのうちのいくつかは、望ましくは他のものより快適な使用者の経験をもたらすであろう。
【００２４】
導電性接地ネックストラップは、装置が清浄機を着用する個人の身体を接地源として使用することを可能にする。このことは、大きな接地面と清浄機からのイオン出力における著しい増加をもたらす効果を有する。ストラップは、一般的には編み込まれる導電性材料の層を有する綿の構造のものである。これは装置内の浮動接地部に直接接続され、同時に首の周りに吊るされかつ／又は素肌に接触しながら個々の使用者に接続される。
【００２５】
接地コードは、任意のタイプの導電性材料から構成され得る。使用者の身体に接触する接地板は、必要とされる場合にコードを代替し得る。他の接地手段が使用され得る。
【００２６】
今図２を参照すると、全体を通じて３０として指定されるものは、本発明の再充電可能な携帯個人用イオン空気清浄機の電気回路構成の概略ブロック図である。
【００２７】
示されるように、点線のボックス３２により図示される電池管理回路は、点線のボックス３４により図示されるインジケータ回路と、点線のボックス３６により図示されるタイマ回路と、点線のボックス３８により図示される電流増幅回路に動作可能に結合される。タイマ回路３６は電流増幅器３８に接続され、点線のボックス４０により図示される高電圧電力回路は電流増幅器３８に接続される。
【００２８】
電池管理回路３２は充電コントローラＩＣを有する再充電可能な電池を含み、これは装置内及び装置外へのエネルギーの流れを管理することが可能であるエネルギー源である。電池管理回路３２の充電コントローラＩＣがセル内及びセル外へのエネルギーを管理する間に、電池セルはエネルギーを貯蔵する。電池を充電するために電圧が回路に印加されるときに、充電コントローラＩＣは、電池が追加のエネルギーを受け取ることができるか否かを決定する。装置が余りに多くのエネルギーを電池セルから引き出す位置にある場合には、充電管理ＩＣは電池の過度の放電をも防止する。この装置の組み合わせは、セルに対する損傷を防止することによって、より長い電池寿命を可能にしながらより安全な製品を結果として生じる。
【００２９】
清浄機の電池管理回路３２は、ＩＣを基礎とする充電及び放電管理を有するリチウムポリマー電源を使用する。
【００３０】
再充電可能でない電池電源が、本清浄機の動作のために使用され得る。
【００３１】
インジケータ回路３４は、好適には清浄機がＵＳＢ充電器に接続されるときの充電インジケータと、マイナスイオンが生成されているときの浄化インジケータを含む。
【００３２】
タイマ回路３６のタイミングパルスの出力列の各パルスは、スイッチング回路及び電流増幅器３８のトランジスタＱ４を飽和させる（saturate）。これにより、増幅されるスイッチング信号は高電圧回路４０に印加される。電池電源は、タイマ回路３６及び電力トランジスタＱ４に電力を供給する。タイマ回路はトランジスタにパルスについての時刻を供給し、これにより低電圧電力を高電圧電源回路４０に向ける。高電圧回路の出力は、一つの側面上において接地ストラップに接続され、他方の側面上においてイオン放出器に接続される。導電性イオン放出器に高電圧パルスを供給することにより、放出器はイオンのパルスを提供する。使用者の身体に取り付けられるストラップ１２の接地部は、身体とイオン化器の間の電位差を単純に強化し、これによってより良好なイオン出力及び分散を促進する。
【００３３】
今図３Ａを参照すると、全体を通じて５０として指定されるものは、本発明の再充電可能な携帯個人用イオン空気清浄機の高電圧電力回路を図示する概略ブロック図である。高電圧電力回路５０は、低電圧入力を受け取って出力上の４ｋＶから１６ｋＶの高電圧に拡張する。これは一般に、点線のボックス５４により指定される交流電流から直流電流への変換機に接続される、点線のボックス５２により図示される直流電流から交流電流への変換機から構成される。示されるように、高電圧電力回路５０の直流電流から交流電流への変換機５２は、スイッチング回路及び回路増幅器３８（図２）のボックス５６により概略的に図示される増幅されるスイッチング信号を受け取ってその直流電流パルスを交流電流に変換する昇圧器を含む。示されるような交流電流から直流電流へのキャパシタはしご形回路網５４の昇圧器及びビリヤード型キャパシタ‐ダイオード電圧乗算器は、示されるようにイオン放出器１６に印加されるイオン化電位において交流電流信号を高電圧直流電流に変換する。
【００３４】
周波数及びデューティサイクルのための制御パラメータについての詳細は（図２のタイミング回路中の構成要素を参照して）以下の通りである。
パルスの周波数＝（１．４４）／（（Ｒ５＋２＊Ｒ６）＊Ｃ）
（周波数はＲ５、Ｒ６及び容量Ｃの関数である。）
デューティサイクル＝Ｒ６／（Ｒ５＋２＊Ｒ６）
（デューティサイクルは二つの抵抗Ｒ５及びＲ６の比に関連する。）
【００３５】
これらの現在好適かつ例示的な値について、タイマについての約０．６Ｈｚの周波数と２．５％のデューティサイクルが取得される。
【００３６】
充電するために高電圧電源に接続されるキャパシタ（スイッチング回路内のキャパシタＣ３）について必要とされるいくらかの時間が存在し、そのため高電圧電源からの実際の出力パルスはより短くなる。
Ｒ５＝２．２ＭΩ（オーム），Ｒ６＝５６ｋΩ（オーム），Ｃ＝１μＦ（ファラド）
パルス期間＝１．６秒
オンパルス期間（Ｔ（ｏｎ））＝０．０４ｓ（４０ｍｓ）
【００３７】
パルスの長さは、イオンのバーストを生成するために高電圧電源内のキャパシタを充電するために丁度十分に長い。
【００３８】
図４は、高電圧電力回路５０（図３）の出力信号の短いオン時間（Ｔ（ｏｎ））を全体を通じて６０にて示す。短いオン時間又は高電圧パルス長は、イオン化器により生成される過剰な充電に起因する使用者により経験されるショックを最小化しながら、高濃度のイオンを生成するために望ましい。オン時間を最小化することは、高電圧電源が消費する電力の量を削減することによって電池消耗をも削減する。我々は、本明細書において上記に組み込まれるジョアンノーまでの先行技術からのアナログタイマ回路が、浪費されるエネルギーに起因する削減された電池寿命と共に、ショックに起因する使用者に対する不快感を結果として生じる長いオンパルスを生成したことを発見した。デューティサイクル及び周波数の正確な制御は、これらの問題を緩和するために必要とされる。実際には、５０ｍｓより小さいオンパルスが快適さのために所望される。少なくとも０．４Ｈｚの周波数が、そうでない場合に時間と共に自然に消散するであろう個人空間内の十分なイオン群の維持及び良好な性能のためには望ましい。
【００３９】
オンパルスの開始により、イオン放出器の電圧は急速に直流電流イオン化電位に到達するように上昇する。イオン放出は、オンパルスの期間について継続する。オンパルスの終了の際に、電源電圧はもはや高電圧電源内のエネルギーを補充しないため、イオン放出器の電圧は下降する。イオン放出及び放出器電圧は、オンパルスの終了後に指数関数的に減衰する。実質的にイオン放出なしの静穏期は、次のオンパルスの開始まで存在する。
【００４０】
使用者のための快適さを可能にして電池寿命を最大化するために、放出器からの高電圧イオン放出は、短いバースト又はパルスにおいて実行されるべきである。パルス長及びパルス周波数についての制御は、非常に重要である。一般に、図４についてＴ（ｏｎ）を最小化することが優先的である。Ｔ（ｏｎ）変数を管理することにより、その後同時に電池寿命を著しく増加させながら、装置を着用する個人の快適さ（より少ないショック）を最大化することができる。高電圧パルスのタイミング及びデューティサイクルを制御するために使用され得る、多くの方法が存在する。最適な結果は、「５５５」タイマのようなタイマＩＣを使用して達成され得る。パルスの正確なタイミング及び長さは、使用者に対する最小の不快感を伴う最大のイオン生成を可能にする。現在好適な実施形態の例示的なパラメータについて、上述された二つの抵抗と一つのタイミングキャパシタについての最大の制御が得られ得る。タイミングキャパシタは高電圧パルスの周波数を決定する一方、二つの抵抗の間の比はデューティサイクル又はパルス長を決定する。
【００４１】
図２の実施形態のタイマ回路３６は、非安定発振器として動作し出力デューティサイクルを管理するために抵抗の比を使用する、標準ＩＣを基礎とする「５５５」タイマである。このタイマ回路は、非常に低い費用にてＴ（ｏｎ）変数の非常に微細な制御を与える。他のタイプのタイマ回路又はパルス列生成器は、プログラマブルＩＣ、マイクロコントローラ又は単純な非安定アナログ発振器回路を含む。
【００４２】
以下により完全に現れるように、需要に応じたイオン生成を一時的に変化させるための他の方法の中では、汚れた若しくは特に汚染された環境においてイオン生成を強化すること、又は活性化イオンの強化を提供することが所望されるときにはいつでも、電位はイオン化電位を超えて増加させられ得るが、これは増加したショックの危険及び電池電力の消費を犠牲にしている。イオン化電池強化制御回路構成（不図示）は、需要に応じてイオン放出を一時的に増加させるために、所望されるイオン化電位がイオン化閾値を超える限り、一時的に強化するために使用され得る。一つの例示的かつ現在好適な実施形態において、イオン化電位強化制御回路構成は、イオン化器電圧に２５〜３０％の強化を与えるために、需要に応じた電池電圧を直流３．７〜５Ｖに変化させるための入力電圧乗算回路とスイッチアクチュエータを含み得る。
【００４３】
需要に応じたイオン生成を一時的に変化させるための他の方法は、パルス列のデューティサイクル及び／又は周波数を変更することを含む。強化スイッチ（不図示）は、需要に応じたイオン生成を一時的に変化させるために、パルス列の周波数及びデューティサイクルをそれぞれ制御する抵抗Ｒ５及びＲ６を変化させるために使用され得る。パルス長及び／又は周波数を増加させることは、空気の質が悪く又は活性化イオンの強化が重要であるときに、イオン放出を増加させる。反対に、パルス列のパルス長及び／又は周波数を減少させることは、空気の質が余りに悪くはないとき又は電池電力及びこれに伴う電池寿命を保存することが重要であるときにはいつでも、イオン放出を減少させる。
【００４４】
イオン生成を一時的に減少させるための別の方法は、電気的接地からストラップを切り離すことである。図３Ｂ中のスイッチ５７により示されるように、スイッチ５７によってストラップ１２が接地に接続されるときにイオン生成は比較的より高くなり、一方スイッチ５７によってストラップ１２が接地から切り離される場合にはイオン生成は比較的より低くなる。
【００４５】
需要に応じてイオン生成を一時的に変化させるための任意の他の適切な方法が、本発明の概念から離れることなく使用され得る。
【００４６】
今図５を参照すると、全体を通じて７０にて指定されるものは、本発明による再充電可能な携帯個人用イオン空気清浄機の別の実施形態の取り外し可能な放出器ブラシを図示する絵図である。空気清浄機の本実施形態は、空気清浄機のハウジング上にそのために設けられる、全体を通じて７４にて指定されるソケットに適合する、全体を通じて７２にて指定される差し込み式のカーボンブラシ放出器を含む。ソケット７４は、高電圧電源出力に接続される。カーボンブラシ放出器７２上のロックタブ７６と協働する溝（不図示）と、ソケット７４内にそれを取り外し可能に保持するためのバネ７８が、ソケット７４内に設けられる。カーボンブラシ放出器の取り外し可能性と交換可能性をもたらすための摩擦適合（fiction-fit）又は他の手段は、本発明の範囲内である。
【００４７】
今図６を参照すると、全体を通じて９０にて指定されるものは、本発明による再充電可能な携帯個人用イオン空気清浄機の別の実施形態の伸長された柔軟な導電性コードの遠隔終端上の放出器ブラシを図示する絵図である。放出器ブラシ９２は、伸長された柔軟な導電性コード９４の自由端上に設けられ、その他方の終端は全体を通じて９６にて指定されるソケットに取り外し可能に装着される。導電性延長部９４の他方の終端上のロックタブ９８と協働する溝（不図示）が、ソケット９６内にそれを取り外し可能に保持するためのバネ１００と共に、ソケット９６内に設けられる。延長されたカーボンブラシ放出器の取り外し可能性と交換可能性をもたらすための摩擦適合又は他の手段は、本発明の範囲内である。本態様において、ブラシ放出器９２は本発明の空気清浄機の伸長された柔軟な導電性コード９４の延長部を介して、その中に遠隔に配置され得る。
【００４８】
今図７Ａ及び図７Ｂを参照すると、全体を通じて図７Ａ、図７Ｂ中の１２０，１２２にて指定されるものは、本発明による再充電可能な携帯個人用イオン空気清浄機の別の実施形態の顔フィルタマスク内に固定される、伸長された柔軟な導電性コードの遠隔終端上のイオン放出器ブラシを図示する絵図である。伸長された柔軟な導電性コード１２６の遠隔終端上の放出器ブラシ１２４は、全体を通じて１２８にて指定される顔フィルタマスク内に固定される。フィルタマスク１２８は、示されるように使用者の頭と首の周りに着用されるように適応し、呼吸通路に対する安全な位置においてブラシ放出器１２４をフィルタマスク１２８に受け入れて取り外し可能に装着するようにその中を通じて適応している、全体を通じて１３０にて指定される開口部を含む。任意の適切な受け入れ及び装着手段が、本発明に従って使用され得る。自転車／オートバイヘルメット若しくは他の帽子、卓上スタンド若しくは近傍における他の物品、又は下襟若しくは衣服の他の部分のような、フィルタマスク以外の任意の他の補助器具が考慮される。
【００４９】
これら及び他の補助器具又は位置のそれぞれにおいて、適切な装着手段が考慮される。
【００５０】
典型的には、イオン放出器は例えば財布又はリュックサック内に置かれるときに損傷を受け得る脆性炭素繊維又は他の材料のものである。繊維がより短くより少ない数であるほど、生成されるイオンは少なくなり、そのような損傷を受けたイオン放出器によってより少ない性能が達成される。
【００５１】
図８Ａ、図８Ｂは、本発明による再充電可能な携帯個人用イオン空気清浄機の一つのイオン放出器保護実施形態を示す絵図である。半円筒形カバー１５２は、図８Ａ、図８Ｂにおいて全体を通じてそれぞれ１５６，１５８にて指定される閉じた位置と開いた位置の間における、スライドする動きのための、全体を通じて１５４にて指定される弓形の溝に装着される。その閉じた位置１５６において、カバー１５２は、有効な使用中でないときの取り扱い及び格納からのイオン放出器１６０の損傷を防ぐためにイオン放出器１６０を覆って保護的に包むために、弓形の溝１５４から引き出される。スイッチ（不図示）は、カバー１５２がその閉じた位置１５６にあるときに、カバー１５２の位置に応答して装置の電源を「オフ」にするために設けられ得る。カバー１５２は、その開いた位置１５８において溝１５４に後退させられ、イオン放出器１６０は有効な使用のために保護されない。
【００５２】
図９Ａ、図９Ｂは、本発明による再充電可能な携帯個人用イオン空気清浄機の別のイオン放出器保護実施形態を示す絵図である。スライド部１６２は、図９Ａ、図９Ｂにおいて全体を通じてそれぞれ１６６，１６８にて指定される開いた位置と閉じた位置の間におけるスライドする動きのための、全体を通じて１６４にて指定される溝に装着される。その閉じた位置１６８において、スライド部１６２による動きのために装着されるイオン放出器１７０は、有効な使用中でないときの取り扱い及び格納からのその損傷を防ぐために、完全に奥まったところに置かれ、溝１６４を規定する壁により保護的に囲まれる。スイッチ（不図示）は、スライド部１６２の位置に応答して、スライド部１６２がその閉じた位置１６８にあるときに装置の電源を「オフ」にするために設けられ得る。その開いた位置１６６において、放出器１７０は有効な使用のために保護されない。
【００５３】
多くのカバー及びスライド部の変形、並びにスライド部を動かすための任意の他の適切な手段が使用され得る。図示される実施形態において、溝１６４を規定する壁のうちの一つは開いた細長い穴により設けられ、アームはスライド部１６２上に設けられ（両者は不図示）、細長い穴の開いた壁を通じて伸びる。伸びるアームの操作により、スライド部１６６２はその開いた位置１６６と閉じた位置１６８の間において、上方及び下方に移動させられ得る。
【００５４】
使用中でないときの損傷に対してイオン放出器を保護するための任意の他の適切な手段が、本発明の概念から離れることなく使用され得る。
【００５５】
本発明による再充電可能な携帯個人用イオン空気清浄機は、典型的には首の周りに着用されるアクセサリーとして働き、その保護的な使用及び／又は活性化する使用の各業務、普段着、娯楽又は他の状況において個人の使用者に付随する。付随するアクセサリーの使用の目的は、特定の使用の状況において提示可能であるように見えることであり得るが、従来の個人用空間浄化機は、必ずしも所望される雰囲気及び外観に適合しなかった単一の視覚的態様を提示していた。
【００５６】
今図１０を参照すると、全体を通じて１８０にて指定されるものは、本発明による再充電可能な携帯個人用イオン空気清浄機の所望される雰囲気及び外観に視覚的態様を一致させるための変更可能な提示手段の一つの実施形態の絵図である。図１０の変更可能な提示手段の実施形態は、特定の業務、普段着、娯楽又は他の使用状況の所望される雰囲気及び外観に適合するように選択され得る、他の態様の中でも予め選択される異なる色、パターン、質感又は材料の外観（不図示）を見るために提示する、相互交換可能要素１８２を含む。相互交換可能要素１８２は全体を通じて１８４にて指定される前面の切り欠きにおいて受け取られ、協働する凸部及び溝要素１８６，１８８は切り欠き１８４において相互交換可能要素１８２を解放可能に留めて適合するために設けられるが、提示要素の相互交換可能性を提供するための任意の他の手段が使用され得る。例示的な実施形態において個々の相互交換可能要素１８２が提示する外観は平坦であるが、相互交換可能要素はそれ以外に構成され得ることが理解されるであろう。
【００５７】
所望される雰囲気及び外観に適合するために提示される視覚的態様を調整するための任意の他の適切な提示態様変更手段が、本発明の概念から離れることなく使用され得る。
【００５８】
他の有利な態様の中では、開口部及び取り外し可能なドア（共に不図示）が、相互交換可能な要素１８２が取り外されるときにはいつでも、もし電池がその寿命を超えるか劣化していることが見付けられる場合には電池交換を可能にするために、電池区画（不図示）の上に設けられ得る。
【００５９】
ストラップは首の周りに着用されるときに再充電可能な携帯個人用空気清浄機を吊るして支持し、典型的には着用時に使用者の身体に密接に接触する。それらの個人との密接な接触において、適切な位置にはんだ付けされた従来の既知の携帯空気清浄機のストラップは、とりわけそれらが見えるべきであるように見え得ない不利益を受け、衣服から汚されて汗まみれになり得て、かつ／あるいは痒くなり、又はそうでない場合にはそれらが感じられるべきであるように感じられ得ない。
【００６０】
今図１１を参照すると、全体を通じて２００にて指定されるものは、本発明による再充電可能な携帯個人用イオン空気清浄機の一つのストラップが汚れたときに異なるストラップに交換し、一つのストラップを異なる長さ若しくは別の快適さレベルの異なるストラップに交換し、又は一つのストラップを別のものに変更する何らかの他の理由のために一つのストラップを異なるストラップに交換するためのストラップの解放可能な取付具及び電気接続手段の一つの実施形態の絵図である。現在好適な実施形態において、ストラップ２０２には、全体を通じて２０６にて指定される接地されたメスプラグ端子に差し込むオスプラグ終端２０４が設けられる。ストラップを解放可能にハウジングに機械的に取り付けてストラップを回路接地に電気的に接続するように協働する、オスプラグ終端と接地されたメスプラグ端子が現在好適であるが、任意の適切な解放可能な取付具と電気接続手段が、本発明の概念から離れることなく使用され得ることが理解されるであろう。
【００６１】
本発明の多数の変形は、本発明の概念から離れることなく、本開示により利益を受けた当業者にとって明白になるであろう。
【図面の簡単な説明】
【００６２】
【図１Ａ】本発明による再充電可能な携帯個人用イオン空気清浄機の透視図である。
【図１Ｂ】本発明による再充電可能な携帯個人用イオン空気清浄機の透視図である。
【図２】その電気回路構成の概略ブロック図である。
【図３Ａ】ビリヤード型（Villiard-style）電圧乗算回路及び高電圧出力を有する、本発明の再充電可能な携帯個人用イオン空気清浄機の高電圧電力回路を図示する概略ブロック図である。
【図３Ｂ】ビリヤード型電圧乗算回路及び高電圧出力を有する、本発明の再充電可能な携帯個人用イオン空気清浄機の高電圧電力回路を図示する概略ブロック図である。
【図４】本発明の再充電可能な携帯個人用イオン空気清浄機の最小ピーク存在（dwell）時間により特徴付けられる放出器ブラシにおける電圧を図示するグラフである。
【図５】本発明による再充電可能な携帯個人用イオン空気清浄機の別の実施形態の取り外し可能な放出器ブラシを図示する透視図である。
【図６】本発明による再充電可能な携帯個人用イオン空気清浄機の別の実施形態の伸長された柔軟な導電性コードの遠隔の終端上の放出器ブラシを図示する透視図である。
【図７Ａ】本発明による再充電可能な携帯個人用イオン空気清浄機の別の実施形態の顔フィルタマスク内に固定される、伸長された柔軟な導電性コードの遠隔終端上の放出器ブラシを図示する透視図である。
【図７Ｂ】本発明による再充電可能な携帯個人用イオン空気清浄機の別の実施形態の顔フィルタマスク内に固定される、伸長された柔軟な導電性コードの遠隔終端上の放出器ブラシを図示する透視図である。
【図８Ａ】一つのイオン放出器保護実施形態を示す透視図である。
【図８Ｂ】一つのイオン放出器保護実施形態を示す透視図である。
【図９Ａ】本発明による再充電可能な携帯個人用イオン空気清浄機の別のイオン放出器保護実施形態を示す透視図である。
【図９Ｂ】本発明による再充電可能な携帯個人用イオン空気清浄機の別のイオン放出器保護実施形態を示す透視図である。
【図１０】本発明による再充電可能な携帯個人用イオン空気清浄機の所望される雰囲気及び外観に視覚的態様を一致させるための変更可能な提示手段の一つの実施形態の透視図である。
【図１１】本発明による再充電可能な携帯個人用イオン空気清浄機の一つのストラップを別のストラップに交換するためのストラップ解放可能取付具と電気的接続手段の一つの実施形態の透視図である。
【図１Ａ】
0006637644.tif 000002
【図１Ｂ】
0006637644.tif 000003
【図２】
0006637644.tif 000004
【図３Ａ】
0006637644.tif 000005
【図３Ｂ】
0006637644.tif 000006
【図４】
0006637644.tif 000007
【図５】
0006637644.tif 000008
【図６】
0006637644.tif 000009
【図７Ａ】
0006637644.tif 000010
【図７Ｂ】
0006637644.tif 000011
【図８Ａ】
0006637644.tif 000012
【図８Ｂ】
0006637644.tif 000013
【図９Ａ】
0006637644.tif 000014
【図９Ｂ】
0006637644.tif 000015
【図１０】
0006637644.tif 000016
【図１１】
0006637644.tif 000017